(57)【要約】【課題】支柱の全長にわたってリップ片が外部に現れ、しかも前パネル部の端面ラインと横桟の端面ラインとを略一直線上に形成でき、見栄えを良くすること。【解決手段】支柱カバー１１は、リップ片１２，１２間に配置される前パネル部１３と、前パネル部１３の左右両端から後方に折曲してリップ溝７の両側のリップ片１２に係止される左右一対の係合部１４とからなる。各係合部１４は、リップ溝７の底面に当たって支柱カバー１１の前後の動きを止めるための第１当接部１４ａと、リップ片１２の背面角部に当たって支柱カバー１１の前後左右の動きを止めるための第２当接部１４ｂとを備える。前パネル部１３の端面にリップ片１２との隙間となる端面ラインＬ１を形成すると共に、端面ラインＬ１をリップ溝７の一部に挿入されて連結されている横桟２の端面ラインＬ２と略一直線上に形成した。【選択図】図１
2007092338.tif 000002
【特許請求の範囲】
【請求項１】
支柱の側面にリップ溝を設け、リップ溝の一部に横桟の端部を挿入して支柱間に横桟を架け渡すと共に、リップ溝の残りの部分を支柱カバーにて覆うようにした柵の構造において、支柱カバーは、リップ片間に配置される前パネル部と、前パネル部の左右両端から後方に折曲してリップ溝の両側のリップ片に係止される左右一対の係合部とからなり、各係合部は、リップ溝の底面に当たって支柱カバーの前後の動きを止めるための第１当接部と、リップ片の背面角部に当たって支柱カバーの前後左右の動きを止めるための第２当接部とを備えており、前パネル部の端面にリップ片との隙間となる端面ラインを形成すると共に、この端面ラインをリップ溝の一部に挿入されて連結されている横桟の端面ラインと略一直線上に形成してなることを特徴とする柵の構造。
【請求項２】
上記リップ片の前面の先端角部に沿って凹条部が形成され、該凹条部を前パネル部の端面ライン及び横桟の端面ラインにそれぞれ連通させてなることを特徴とする請求項１記載の柵の構造。
【発明の詳細な説明】
【技術分野】
【０００１】
本発明は、柵の構造に関し、詳しくは支柱のリップ溝の一部に横桟を架け渡すと共に、リップ溝の残りの部分を支柱カバーにて覆うようにした柵の構造に関するものである。
【背景技術】
【０００２】
従来から、柵を構成する支柱の側面にリップ溝を設け、リップ溝の一部に横桟の端部を挿入して支柱間に横桟を架け渡すと共に、リップ溝の残りの部分を支柱カバーにて覆うようにした構造が特許文献１において知られている。
【０００３】
ところが、従来の支柱カバーはリップ溝の両端から突出するリップ片の前面も覆っているため、支柱カバーによってリップ片の前面が外部に現れなくなり、一方、横桟の部分ではリップ片の前面が外部に現れている。このためリップ片が支柱カバーの部分で途切れてしまい、外観がアンバランスとなり、見栄えが悪くなるという問題がある。
【特許文献１】特開平１０−１５９０４２号公報
【発明の開示】
【発明が解決しようとする課題】
【０００４】
本発明は上記の従来の問題点に鑑みて発明したものであって、支柱の全長にわたってリップ片が外部に現れ、しかも前パネル部の端面ラインと横桟の端面ラインとを略一直線上に形成でき、見栄えの良い柵の構造を提供することを課題とするものである。
【課題を解決するための手段】
【０００５】
前記課題を解決するために本発明は、支柱１の側面１ｂにリップ溝７を設け、リップ溝７の一部に横桟２の端部を挿入して支柱１間に横桟２を架け渡すと共に、リップ溝７の残りの部分を支柱カバー１１にて覆うようにした柵の構造において、支柱カバー１１は、リップ片１２，１２間に配置される前パネル部１３と、前パネル部１３の左右両端から後方に折曲してリップ溝７の両側のリップ片１２に係止される左右一対の係合部１４とからなり、各係合部１４は、リップ溝７の底面に当たって支柱カバー１１の前後の動きを止めるための第１当接部１４ａと、リップ片１２の背面角部に当たって支柱カバー１１の前後左右の動きを止めるための第２当接部１４ｂとを備えており、前パネル部１３の端面にリップ片１２との隙間となる端面ラインＬ１を形成すると共に、この端面ラインＬ１をリップ溝７の一部に挿入されて連結されている横桟２の端面ラインＬ２と略一直線上に形成してなることを特徴としている。
【０００６】
このような構成とすることで、支柱カバー１１の前パネル部１３はリップ片１２を覆わないため、支柱１の全長にわたってリップ片１２が外部に現れるようになる。一方、横桟２をリップ溝７の一部に挿入されて連結するにあたって、横桟２を動かして位置決めするためにはリップ片１２との間に所定の隙間を確保する必要があり、このため、横桟２の端面には所定の隙間が生じている。これに対して、支柱カバー１１の前パネル部１３の端面をリップ片１２と隙間なく接触させた場合は、横桟２の端面ラインＬ２が前パネル部１３の部分で途切れてしまい、外観上において違和感が生じ、見栄えが良くない。そこで、本発明では、支柱カバー１１は係合部１４に設けた第１当接部１４ａ及び第２当接部１４ｂとにより、リップ溝７に対する支柱カバー１１の前後左右の動きが止められるようになっているので、支柱カバー１１の前パネル部１３の端面をリップ片１２から離して配置可能となり、従って、前パネル部１３の端面に沿ってリップ片１２との間で一定の隙間よりなる端面ラインＬ１を形成できると共に、リップ溝７の一部に挿入されて連結されている横桟２の端面ラインＬ２と前パネル部１３の端面ラインＬ１とを略一直線上に形成できるようになる。
【０００７】
また、上記リップ片１２の前面の先端角部に沿って凹条部１５が形成され、該凹条部１５を前パネル部１３の端面ラインＬ１及び横桟２の端面ラインＬ２にそれぞれ連通させてなることを特徴とするのが好ましく、この場合、横桟２の端面ラインＬ２の幅及び前パネル部１３の端面ラインＬ１の幅がそれぞれ凹条部１５の分だけ広がり、リップ片１２の全長にわたってよりくっきりとしたラインが形成されるようになり、美観がより一層向上するようになる。
【発明の効果】
【０００８】
本発明に係る柵の構造は、支柱カバーの前パネル部はリップ片を覆わないため、支柱の全長にわたってリップ片が外部に現れ、しかも前パネル部の端面ラインと横桟の端面ラインとを略一直線上に形成できるので、リップ片の全長に亘って縦一直線上の隙間のラインが形成され、見栄えが向上するものである。
【発明を実施するための最良の形態】
【０００９】
以下、本発明を添付図面に示す実施形態に基いて説明する。
【００１０】
図２は、笠木２３を支える２本の支柱１の各下端部を、床面１６に固定された支柱台座１７に上方から外嵌してネジ固定したロフト用の柵の一例を示しており、図３は支柱１の数が３本の幅広のロフト用の柵の一例を示している。なお図中の２は横桟、２３は笠木、２４は遮蔽板である。
【００１１】
支柱１は、図４（ａ）に示すように、平面視で略Ｈ字形に形成されている。本例では、図６に示すように、支柱１の長辺側の両側面に、それぞれ、左右一対のフランジ２５が向き合うように突出していると共に、左右のフランジ２５の先端をさらに内向きに折り曲げてリップ片１２が形成され、これらフランジ２５とリップ片１２とで囲まれた部分がリップ溝７となっている。なお、リップ片１２の外角部１２ａには丸みが付けられ、衣服等の引っ掛かりなどを防止するようにしている。また本例では、支柱カバー１１の係合部１４の係合部１４の外端面１４ｃをフラットに形成したが、他例として図７に示すように、外端面１４ｃを窪み形状に形成してもよい。
【００１２】
支柱台座１７は、図１０に示すように、床面１６に固定されるベース部１８から上方に向かって支柱挿入軸１９が一体に突設され、支柱１の下端部１ｄを支柱挿入軸１９に外嵌して固定するものである。支柱挿入軸１９の輪郭は図６に示すように、支柱１の輪郭よりも一回り小さな略長方形状をしている。
【００１３】
支柱台座１７は例えばダイカスト等からなり、四角筒状の支柱挿入軸１９の根元部分１９ａが外曲がり状に屈曲してベース部１８と一体形成されている。ベース部１８は台座取付ボルト２６によって床面１６に固定されている。本例では、支柱挿入軸１９の根元部分１９ａとベース部１８とのなすコーナー部２１の外面は縦断面形状が大きななだらかなアール形状をした外側アール面Ｒとなっており、ベース部１８と支柱挿入軸１９の根元部分１９ａとが外側アール面Ｒを介して連続するように一体形成されている。これにより、コーナー部２１の強度向上が図られている。
【００１４】
上記外側アール面Ｒからは、外方に向かって支柱１の下端部１ｄを載置して位置決めするための位置決め突起２０が突設されている。本例の位置決め突起２０は、図５（ａ）に示すように、支柱挿入軸１９を中心として外側アール面Ｒの外方に向けて放射状に突出する複数（本例では６個）のリブ２０ａ，２０ｂからなる。リブ２０ａ，２０ｂの上端は上記外側アール面Ｒの上端と同じか或いはそれよりも高い水平面となっている。
【００１５】
また本例のリブ２０ａ，２０ｂは、支柱挿入軸１９の短辺側に設けられる２本の短寸リブ２０ａと、長辺側に設けられる１本の長寸リブ２０ｂとからなる。短寸リブ２０ａの横幅寸法ｄ１は、図６に示すように、支柱１の下端部１ｄを載置できる長さとされ、長寸リブ２０ｂの横幅寸法ｄ２は支柱１の下端部１ｄ、支柱カバー１１の下端部及びベースカバー２２の内縁部２２ａの下端をそれぞれ載置できる長さとされる。つまり、２本の短寸リブ２０ａは、支柱１の下端部１ｄの長辺側の２箇所及び後述の支柱カバー１１の下端部の２箇所、更にベースカバー２２の内縁部２２ａ下端の２箇所をそれぞれ支持するものであり、１本の長寸リブ２０ｂは、支柱１の下端部１ｄの短辺側の中央の１箇所を支持するものである。
【００１６】
また、上記支柱挿入軸１９には、図１０に示すように、位置決め突起２０の上端よりも上方位置にネジ孔２８が設けられ、支柱１の下端部１ｄを位置決め突起２０に載置した状態で、該ネジ孔２８と支柱１に設けたネジ孔２９とが位置合わせされ、ネジ３０にて支柱１と支柱挿入軸１９とをネジ固定できるようになっている。
【００１７】
次にベースカバー２２を説明する。上記支柱台座１７のベース部１８は平面視で正方形状の輪郭を有するベースカバー２２にて隠蔽されている。ベースカバー２２は、ベース部１８を上方から覆い隠すものであり、本例では図８、図９に示すように、支柱１の両側から突き合わせ可能な半割れ状に形成されている。半割れ状のベースカバー２２は同じ形状をしており、内縁部２２ａが支柱１の下端部１ｄの外面及び支柱カバー１１の下端部の外周面に突き当てられ、外縁部２２ｂが床面１６に載置されるようになっている。
【００１８】
ここで、ベースカバー２２の内縁部２２ａは、図９（ａ）に示すように、支柱カバー１１の外面から支柱１の両端面に跨って突き当てられるコ字状縁３１と、コ字状縁３１の一端側に連なる凸状縁３２（図８、図９（ａ）、（ｂ）、（ｃ））と、コ字状縁３１の他端側に連なる凹状縁３３（図８、図９（ａ））とで構成されている。そして、半割れ状の一対のベースカバー２２を左右逆向きにして支柱１の両側から嵌め合わせた状態で、コ字状縁３１が支柱カバー１１の外面から支柱１の両端面に沿って突き当てられるようになり（図４（ａ）の状態）、且つ、互いに突き合される凸状縁３２と凹状縁３３とが上下に嵌合するようになっている。またベースカバー２２の内縁部２２ａは下方に向かって縦断面Ｌ字形に屈曲しており、内縁部２２ａの一部の下端がベース部１８の上面に載置されると共に、内縁部２２ａの他の一部には位置決め突起２０と対向する位置に切欠部３４（図８）が形成され、この切欠部３４の下端が図１０に示すように、位置決め突起２０上に載置されるようになっている。
【００１９】
さらに半割れ状の一対のベースカバー２２の下面には、図９（ｂ）〜（ｈ）に示すように、下方に向かって複数（本例では３本）の位置決めピン３５が突設され、一方、ベース部１８の上面には図５（ａ）に示すように、ピン挿入孔３６が形成され、前記のようにベースカバー２２を支柱１の両側から嵌め合わせた状態で、位置決めピン３５がピン挿入孔３６にそれぞれ嵌まり込むようになり、これにより、各ベースカバー２２がベース部１８に対して位置決め固定された状態となる。なおベース部１８の四隅に台座取付ボルト２６が挿通する長孔２７（図５）が形成されている。また本例では、ベース部１８の上面には、図１０に示すように、台座取付ボルト２６の頭部２６ａが突出しているため、ベースカバー２２をベース部１８の上面から上方に浮きあがらせることでベースカバー２２と台座取付ボルト２６の頭部２６ａとが干渉しないようにしている。さらにこのようにベースカバー２２をベース部１８の上面から上方に浮きあがらせた状態で、上記位置決めピン３５の先端がピン挿入孔３６に挿入されるように、位置決めピン３５の長さが設定されている。
【００２０】
次に横桟２の取付構造を説明する。支柱１の側面１ｂに設けられるリップ溝７の一部には、図１又は図１２に示すように、角材からなる横桟２の端部が挿入される。横桟２の端面２ａにはタッピングホール４ｂが形成され、横桟２の軸直角方向Ｎに突出する横桟接続用プレート３の一端部３ａ側に設けたネジ挿入孔３ｄからタッピングホール４ｂにタッピングネジ４ａを螺合することで、横桟接続用プレート３の一端部３ａ側が横桟２の端面２ａに位置決めされた状態でネジ固定される。横桟接続用プレート３は剛性の板材からなり、支柱１のリップ溝７の内側に挿入可能なサイズに形成されている。横桟接続用プレート３の上下幅は横桟２の端面２ａの外径寸法よりも大きく形成され、横桟接続用プレート３の他端部３ｂ側であって且つ横桟２の端面２ａから外れた位置にはネジ孔３ｃが穿設されている。一方、支柱１には、支柱１の軸直角方向Ｍに貫通し且つ支柱１の両側面１ｂにそれぞれ開口する横通し孔１ａが穿設されている。
【００２１】
また本例では、タッピングネジ４ａをタッピングホール４ｂに螺合して横桟接続用プレート３を横桟２の端面２ａに固定した状態で、タッピングネジ４ａの頭部４ｃが横桟接続用プレート３の背後に突出するようになっている。一方、支柱１の側面１ｂに横通し孔１ａから所定距離Ｓ´をあけた位置に小孔１ｃが形成されている。上記所定距離Ｓ´は、図１１に示すように、横桟接続用プレート３のネジ挿入孔３ｄとネジ孔３ｃ間の距離Ｓと略同じ距離とされる。これにより、支柱１の側面１ｂに横桟接続用プレート３を当てた際にタッピングネジ４ａの頭部４ｃが小孔１ｃに嵌り込むことで、横桟接続用プレート３のネジ孔３ｃを支柱１の横通し孔１ａとを位置決めできるようになる。その後、通しネジ５を一方の横桟接続用プレート３のネジ孔３ｃから支柱１の横通し孔１ａを貫通して他方の横桟接続用プレート３のネジ孔３ｃから突出させてナット６で締結することで支柱１に横桟２を連結できるようになっている。
【００２２】
なお、タッピングネジ４ａとして皿ネジを用いて、横桟接続用プレート３の背後にタッピングネジ４ａの頭部４ｃが突出しないようにしてもよく、この場合は支柱１の側面１ｂに位置決めのための小孔１ｃを設ける必要がなく、孔加工を省略できる。
【００２３】
さらに本例では、横桟接続用プレート３の一端部３ａからは、横桟２の端面２ａと直交する側面２ｂに当接する回転防止片１０（図１０〜図１２）が突設されており、回転防止片１０によって横桟２に対する横桟接続用プレート３の回転防止が図られている。なお、横桟接続用プレート３には回転防止片１０を設けたタイプと、設けないタイプ３´（図１２）の２種類がある。
【００２４】
次に、上記リップ溝７を覆う支柱カバー１１を説明する。支柱１のリップ溝７の一部には前記のように横桟２の端部が架け渡され、リップ溝７の残りの部分は支柱カバー１１にて覆われる。支柱カバー１１は横桟２を支柱１に連結するための横桟接続用プレート３、通しネジ５及びナット６を隠蔽して、外観を良くするものである。本例の支柱カバー１１は、図６に示すように、平面視で略コ字状に形成され、リップ片１２，１２間の開口を塞ぐと共にリップ片１２の前面と面一状に配置される前パネル部１３と、前パネル部１３の左右両端から後方にＬ形に折曲された左右一対の係合部１４とを備えている。左右一対の係合部１４は、それぞれ、リップ溝７の底面（支柱１の側面１ｂ）に当たって支柱カバー１１の前後（図６の左右方向）の動きを止めるための第１当接部１４ａと、リップ片１２の背面角部に当たって支柱カバー１１の前後及び左右（図６の上下方向）の動きを止めるための第２当接部１４ｂとを備えている。そして、これら第１当接部１４ａ及び第２当接部１４ｂとにより、リップ溝７に対する支柱カバー１１の前後左右の動きが止められるようになっていると共に、支柱カバー１１の前パネル部１３の端面をリップ片１２から離して配置することで、前パネル部１３の端面にはリップ片１２との隙間となる端面ラインＬ１（図１（ｃ）、図１３（ｂ））が形成され、この端面ラインＬ１が後述のように横桟２の端面ラインＬ２（図１（ｃ）、図１３（ａ））と略一直線上に形成されている。さらに支柱カバー１１の下端部は、図１０に示すように、支柱台座１７の位置決め突起２０上に載置されることで上下方向に位置決めされている。なお支柱カバー１１には、図６に示すように、前パネル部１３全体がフラットな形状のタイプと、図１（ｂ）に示すように、前パネル部１３の中央部に後述する遮蔽板２４の端部が挿入される凹溝を設けたタイプのものとがある。
【００２５】
次にロフト用の柵を構築する場合の２つの方法を例に挙げて説明する。第１の方法は、床面１６に支柱台座１７を固定し、支柱１を支柱台座１７の支柱挿入軸１９に外嵌してネジ固定し、その後、横桟２を架設し、支柱カバー１１及び笠木２３を取り付けて、図２或いは図３に示すロフト用の柵を構築する。まず、複数の支柱台座１７を所定間隔をおいて床面１６に固定しておき、複数本の支柱１の下端部１ｄをそれぞれ支柱台座１７の支柱挿入軸１９に嵌め込んでいく。このとき、支柱１の下端部１ｄが支柱挿入軸１９の外方に突出した位置決め突起２０上に載置されて位置決めされた状態となり、支柱１と支柱挿入軸１９とをネジ固定する。その後、支柱１間に横桟２を架設する。このとき、図１のように支柱１の両側に横桟２を配置する場合は、図１１に示すように、２枚の横桟接続用プレート３を２本の横桟２の端面２ａにそれぞれネジ固定しておく。なお図１２のように支柱１の片側だけに横桟２を配置する場合は、２枚の横桟接続用プレート３の一方のみに横桟２の端面２ａをネジ固定しておく。そして、一方の横桟接続用プレート３を支柱１の一側面１ｂに当て且つ他方の横桟接続用プレート３を支柱１の他側面１ｂに当てた状態で、通しネジ５を一方の横桟接続用プレート３のネジ孔３ｃから支柱１の横通し孔１ａを貫通して他方の横桟接続用プレート３のネジ孔３ｃに通してナット６にて締結する。これにより図１に示すように、支柱１の両側に横桟２を連結したり、或いは図１２に示すように、支柱１の片側だけに横桟２を連結できるようになる。その後、支柱１の頂部１ｅ間に笠木２３を掛け渡して、図１４に示すように、笠木２３をタッピングネジ８でネジ固定する。このとき支柱１の頂部１ｅの４隅にタッピングホール９が設けられており、笠木２３の底板部２３ａをタッピングネジ８で固着できるようにしている。
【００２６】
ロフト用の柵を構築する第２の方法は、先ず、支柱１と横桟２とからなる枠体を予め組み立てる。先ず、複数の支柱１を床面１６に倒して並べ、この支柱１間に横桟２を並べた状態で、横桟２に固定した横桟接続用プレート３を支柱１に固定する。支柱１と横桟２との連結は前述と同じ方法で行ない、図１に示すように、支柱１の両側に横桟２を連結したり、或いは図１２に示すように、支柱１の片側だけに横桟２を連結する。その後、組み立てた枠体を立てて、枠体を構成する複数の支柱１の下端部１ｄをそれぞれ床面１６に固定された支柱台座１７の支柱挿入軸１９に外嵌してネジ固定する。なお、支柱カバー１１及び笠木２３の取り付けは、枠体の組み立てと同時に行なう場合、或いは枠体を支柱台座１７に固定した後に行なう場合のいずれであってもよい。
【００２７】
また上記第１、第２の施工方法のいずれにおいても、ロフト用の柵の下半分に目隠しや防音等の目的で遮蔽板２４（図１（ｂ））を嵌め込むようにしてもよい。この遮蔽板２４の取り付け方法は、左右の支柱１と上下の横桟２とで構成される枠体の内周面に凹溝を形成しておき、遮蔽板２４の外周縁部を凹溝に嵌め込むようにすればよい。
【００２８】
上記構成によれば、支柱カバー１１の前パネル部１３はリップ片１２を覆わないため、支柱１の全長にわたってリップ片１２が外部に現れるようになる。ところで、横桟２をリップ溝７の一部に挿入されて連結する場合において、横桟２を動かして位置決めするためにはリップ片１２との間に所定の隙間を確保する必要があり、このため、横桟２の端面には所定の隙間（図１（ｃ）の横桟２の端面ラインＬ２）が生じている。これに対して、支柱カバー１１の前パネル部１３の端面をリップ片１２と隙間なく接触させた場合は、横桟２の端面ラインＬ２が前パネル部１３の部分で途切れてしまい、外観上において違和感が生じ、見栄えが良くない。そこで、本発明では、支柱カバー１１は係合部１４に設けた第１当接部１４ａ及び第２当接部１４ｂとにより、リップ溝７に対する支柱カバー１１の前後左右の動きが止められるようになっているので、支柱カバー１１の前パネル部１３の端面をリップ片１２から離して配置可能となり、従って、図６又は図７に示すように、前パネル部１３の端面に沿ってリップ片１２との間で一定の隙間よりなる端面ラインＬ１を形成できるようになるので、リップ溝７の一部に挿入されて連結されている横桟２の端面ラインＬ２（図１（ｃ）、図１３（ａ））と前パネル部１３の端面ラインＬ１（図１（ｃ）、図１３（ｂ））とを略一直線上に形成できるようになる。このように前パネル部１３の端面ラインＬ１と横桟２の端面ラインＬ２とがほぼ一直線上に揃うようになるので、リップ片１２の全長に亘って縦一直線上の隙間のラインが形成されることとなり、見栄えが向上する。
【００２９】
また本例では、リップ片１２の前面の先端角部に沿って凹条部１５が形成され、該凹条部１５を前パネル部１３の端面ラインＬ１及び横桟２の端面ラインＬ２にそれぞれ連通させたので、横桟２の端面ラインＬ２の幅及び前パネル部１３の端面ラインＬ１の幅がそれぞれ凹条部１５の分だけ広がり、リップ片１２の全長にわたってよりくっきりとしたラインが形成されるようになり、美観がより一層向上する利点もある。
【００３０】
なお前記実施形態では、支柱１と支柱挿入軸１９とをネジ固定した場合を例示したが、勿論、ネジ固定に限らず、リベット等による固着でもよい。
【００３１】
本発明の柵は、住宅内のロフト用柵に限らず、住宅内の踊り場や２階用の柵として使用できる。さらに屋外に設置される外柵にも広く活用できるものである。
【図面の簡単な説明】
【００３２】
【図１】本発明の一実施形態を示し、（ａ）は支柱の両側に横桟を連結した状態の正面断面図、（ｂ）は平面断面図、（ｃ）は横桟の端面ラインと支柱カバーの端面ラインとを略一致させた状態を説明する側面断面図である。
【図２】（ａ）は同上のロフト用柵の正面図、（ｂ）は側面図、（ｃ）は（ａ）のＡ―Ａ線断面図、（ｄ）は平面図、（ｅ）は（ａ）のＢ―Ｂ線断面図、（ｆ）は（ａ）のＣ―Ｃ線断面図である。
【図３】同上のロフト用柵の他例の正面図である。
【図４】（ａ）は同上の支柱と支柱台座の取り付け部分を平面から見た断面図、（ｂ）は一部破断した側面図、（ｃ）は正面図である。
【図５】（ａ）は支柱台座の平面図、（ｂ）は（ａ）のＥ―Ｅ線断面図、（ｃ）は（ａ）のＦ―Ｆ線断面図、（ｄ）は（ａ）のＤ―Ｄ線断面図である。
【図６】図４（ａ）の片側半分を平面からみた断面図である。
【図７】図６の変形例を説明する平面断面図である。
【図８】（ａ）（ｂ）は同上のベースカバーの斜視図である。
【図９】（ａ）は同上のベースカバーの底面図、（ｂ）は側面図、（ｃ）は（ａ）のＧ―Ｇ線断面図、（ｄ）は（ａ）のＨ―Ｈ線断面図、（ｅ）は（ａ）のＩ―Ｉ線断面図、（ｆ）は（ａ）のＪ―Ｊから見た矢視図、（ｇ）は側面図、（ｈ）は（ａ）のＫ―Ｋ線断面図である。
【図１０】同上の支柱の下端部が外嵌された状態の支柱挿入軸の断面図である。
【図１１】同上の支柱の両側に横桟を連結する過程の説明図である。
【図１２】（ａ）は同上の支柱の片側のみに横桟を連結した状態の正面断面図、（ｂ）は平面断面図、（ｃ）は側面断面図である。
【図１３】（ａ）は同上の横桟の端面ラインの説明図、（ｂ）は同上の支柱カバーの端面ラインの説明図である。
【図１４】（ａ）は同上の笠木の取り付け状態の一部破断した正面図、（ｂ）は側面図、（ｃ）は支柱のタッピングホールを説明する平面図である。
【符号の説明】
【００３３】
１  支柱
１ｂ  支柱の側面
２  横桟
７  リップ溝
１１  支柱カバー
１２  リップ片
１３  前パネル部
１４  係合部
１４ａ  第１当接部
１４ｂ  第２当接部
１５  凹条部
Ｌ１  前パネル部の端面ライン
Ｌ２  横桟の端面ライン
【図１】
2007092338.tif 000003
【図２】
2007092338.tif 000004
【図３】
2007092338.tif 000005
【図４】
2007092338.tif 000006
【図５】
2007092338.tif 000007
【図６】
2007092338.tif 000008
【図７】
2007092338.tif 000009
【図８】
2007092338.tif 000010
【図９】
2007092338.tif 000011
【図１０】
2007092338.tif 000012
【図１１】
2007092338.tif 000013
【図１２】
2007092338.tif 000014
【図１３】
2007092338.tif 000015
【図１４】
2007092338.tif 000016